(57)【要約】  【課題】  小型かつ高性能な変倍光学系を提供する。  【解決手段】  物体側から像側に向かって、少なくとも、正のパワーを有する第１レンズ群ＧＲ１、負のパワーを有する第２レンズ群ＧＲ２、および正のパワーを有する第３レンズ群ＧＲ３を有するとともに、第１のレンズ群ＧＲ１が、光軸を変更する光学プリズムＰＲを含み、さらに、以下の条件式（１）を満たす。    ０．１＜｜ｆ２／√（ｆｗ×ｆｔ）｜＜０．４５  ただし、ｆ２：第２レンズ群の焦点距離、ｆｗ：広角端状態での変倍光学系の焦点距離、ｆｔ：望遠端状態での変倍光学系の焦点距離、である。【選択図】      図１
2006350050.tif 000002
【特許請求の範囲】
【請求項１】
物体側からの光線を撮像素子に結像させる複数のレンズ群を備え、
上記複数のレンズ群は、物体側から像側に向かって、少なくとも、
正のパワーを有する第１レンズ群と、
負のパワーを有する第２レンズ群と、
正のパワーを有する第３レンズ群と、
を含んでおり、
上記第１レンズ群が、光軸を変更する第１光軸変更素子を含み、
さらに、以下の条件式（１）を満たすことを特徴とする変倍光学系；
０．１＜｜ｆ２／√（ｆｗ×ｆｔ）｜＜０．４５  …  条件式（１）
ただし、
ｆ２：第２レンズ群の焦点距離
ｆｗ：広角端状態での変倍光学系の焦点距離
ｆｔ：望遠端状態での変倍光学系の焦点距離
である。
【請求項２】
以下の条件式（２）を満たすことを特徴とする請求項１に記載の変倍光学系；
０．５＜ｆ１／√（ｆｗ×ｆｔ）＜１．４  …  条件式（２）
ただし、
ｆ１：第１レンズ群の焦点距離
である。
【請求項３】
以下の条件式（３）を満たすことを特徴とする請求項１または２に記載の変倍光学系；
０．３＜ｆ３／√（ｆｗ×ｆｔ）＜１．０  …  条件式（３）
ただし、
ｆ３：第３レンズ群の焦点距離
である。
【請求項４】
上記第３レンズ群が、第２光軸変更素子を含んでいることを特徴とする請求項１〜３のいずれか１項に記載の変倍光学系。
【請求項５】
変倍のために、上記の第１レンズ群と第３レンズ群とが移動するとき、
第１レンズ群と第３レンズ群との群間距離が不変になっていることを特徴とする請求項１〜４のいずれか１項に記載の変倍光学系。
【請求項６】
上記の第１レンズ群と第３レンズ群とが、連結状態になっていることを特徴とする請求項５に記載の変倍光学系。
【請求項７】
上記第３レンズ群の像側に、正のパワーを有する第４レンズ群が配設されていることを特徴とする請求項１〜６のいずれか１項に記載の変倍光学系。
【請求項８】
請求項１〜７のいずれか１項に記載の変倍光学系を備えた撮像装置。
【発明の詳細な説明】
【技術分野】
【０００１】
本発明は、レンズユニット等に用いられる変倍光学系、およびこの変倍光学系を備えた撮像装置に関するものである。
【背景技術】
【０００２】
近年、パーソナルコンピュータ（ＰＣ）の普及に伴い、手軽に画像を取り込めるデジタルカメラ（撮像装置）が普及している。そして、このようなデジタルカメラにも、銀塩フィルムを用いたカメラ（銀塩カメラ）同様に、小型化（薄型化）や高性能化（例えば、高い変倍機能や高い収差補正機能）が要望されている。
【０００３】
これらの要望を達するため、物体側に最も近いレンズ群（第１レンズ群）に直角プリズムを備えた変倍光学系（ズームレンズ）を搭載した撮像装置（ビデオカメラ等）が開発されている（例えば特許文献１・２等）。これらの撮像装置は、直角プリズムで光軸を折り曲げることで、第１レンズ群の長さを抑制している（ひいては、ズームレンズの全長を抑制している）。そのため、撮像装置のハウジングの限られたスペース内に、全長の抑制されたズームレンズが適切に配設でき、その結果、ハウジングのサイズ（ひいては撮像装置のサイズ）が小型・薄型になっている。
【特許文献１】特開平８−２４８３１８号公報（請求項１等参照）
【特許文献２】特開平９−１４６０００号公報（図５等参照）
【発明の開示】
【発明が解決しようとする課題】
【０００４】
しかしながら、この特許文献１・２の撮像装置は、正・負・正・正のパワー配置になった複数のレンズ群から成る変倍光学系を有している。したがって、変倍（ズーミング）のときには、例えば第２レンズ群が比較的大きく移動しなくてはならない。すると、この第２レンズ群の移動量に起因して変倍光学系（ズームレンズ）の全長が大型化（長大化）するおそれがある。そのため、この特許文献１・２の撮像装置では、小型化等の効果が充分に発揮されているとはいいがたい。
【０００５】
本発明は、上記の問題点を解決するためになされたものである。そして、その目的は、第１レンズ群〜第３レンズ群（特に第２レンズ群）のパワー（屈折力）を適切に設定することで、変倍での各レンズ群の移動量の調和（バランス）を図り、全長を抑制した変倍光学系等を提供することにある。
【課題を解決するための手段】
【０００６】
本発明の変倍光学系は、物体側からの光線を撮像素子に結像させる複数のレンズ群を備えている。さらに、複数のレンズ群は、物体側から像側に向かって、少なくとも、正のパワーを有する第１レンズ群と、負のパワーを有する第２レンズ群と、正のパワーを有する第３レンズ群と、を含んでいる。そして、この変倍光学系では、第１のレンズ群が、光軸を変更する第１光軸変更素子を含み、さらに、以下の条件式（１）を満たすようになっている。
【０００７】
０．１＜｜ｆ２／√（ｆｗ×ｆｔ）｜＜０．４５  …  条件式（１）
ただし、
ｆ２：第２レンズ群の焦点距離
ｆｗ：広角端状態での変倍光学系の焦点距離
ｆｔ：望遠端状態での変倍光学系の焦点距離
である。
【０００８】
また、本発明の変倍光学系は、以下の条件式（２）を満たすことが好ましい。
０．５＜ｆ１／√（ｆｗ×ｆｔ）＜１．４  …  条件式（２）
ただし、
ｆ１：第１レンズ群の焦点距離
である。
【０００９】
また、本発明の変倍光学系は、以下の条件式（３）を満たすことが好ましい。
０．３＜ｆ３／√（ｆｗ×ｆｔ）＜１．０  …  条件式（３）
ただし、
ｆ３：第３レンズ群の焦点距離
である。
【００１０】
これらの条件式（１）〜条件式（３）は、各レンズ群のパワーに関する式である。そして、これらの条件式（１）〜条件式（３）は、各レンズ群のパワーに基づいて、変倍光学系における全長の抑制（コンパクト化）と、種々の収差発生の抑制との調和を図るための範囲を規定している。
【００１１】
そして、条件式（１）〜条件式（３）の上限値を下回る場合、変倍光学系の全長の過度の増大（大型）が抑制される一方、条件式（１）〜条件式（３）の下限値を上回る場合、各レンズ群のパワーに起因する極端な種々の収差発生が抑制される（光学的性能の劣化が抑制される）。そのため、条件式（１）〜条件式（３）の範囲内では、本発明は、コンパクトでありながら、良好な光学的性能を有する変倍光学系になる。
【００１２】
なお、本発明の変倍光学系では、さらなるコンパクト化を図るために、第３レンズ群が、第２光軸変更素子を含んでもよい。かかる場合、第２光軸変更素子が反射等で光軸を屈曲させるので、変倍光学系が一直線ではなく屈曲した状態になる。したがって、本発明は、変倍光学系の一方向（例えば変倍光学系の全長方向）をコンパクト化できる。
【００１３】
また、本発明の変倍光学系では、変倍のために、第１レンズ群と第３レンズ群とが移動するとき、第１レンズ群と第３レンズ群との群間距離が不変になっていてもよい。例えば連結部を介して、第１レンズ群と第３レンズ群とを連結状態にし、変倍のときに同時移動するようにしてもよい。かかる場合、これら両レンズ群の配設のための構成（配設構成）等が簡素化される。すると、両レンズが、例えば同一のレンズ鏡胴内に収納できる。その結果、このレンズ鏡胴のサイズが比較的コンパクトになる。
【００１４】
また、変倍光学系から最終的に射出される光のテレセントリック性を高めるために、本発明の変倍光学系では、第３レンズ群の像側に、正のパワーを有する第４レンズ群が配設されてもよい。
【００１５】
なお、上記したような変倍光学系を含む本発明の撮像装置は、小型かつ高性能な撮像装置になる。
【発明の効果】
【００１６】
本発明によれば、第１レンズ群〜第３レンズ群のパワーを適切に設定できる。そのため、変倍での各レンズ群の移動量の調和（バランス）を図りつつ、全長を抑制した変倍光学系・撮像装置が実現する。
【発明を実施するための最良の形態】
【００１７】
［実施の形態１］
本発明の実施の一形態について、図面に基づいて説明すれば、以下の通りである。
【００１８】
〔１．デジタルカメラについて〕
図５・図６は、本発明の撮像装置の一例であるデジタルカメラ２９の概略構成図である。図５は、各部の内部ブロックの構成を示すとともに、デジタルカメラ２９に内蔵されたレンズユニット１（変倍光学系１１と撮像素子ＳＲとを含む構成）を示している。一方、図６は、デジタルカメラ２９の側面を示している。特に、この図６は、レンズユニット１を構成する変倍光学系１１の一例を示している。
【００１９】
図５に示すように、デジタルカメラ２９は、変倍光学系１１、光学系駆動部１３、撮像素子ＳＲ、信号処理部１４、表示部１５、記録部１６、記録媒体１７、操作部１８、および制御部１９を含むようになっている。
【００２０】
変倍光学系１１は、撮影対象からの光を撮像素子ＳＲに導くとともに、その光を撮像素子ＳＲの受光面（像面）上に結像させる光学系である。したがって、この変倍光学系１１は、結像光学系や撮像光学系と表現してもよい。なお、変倍光学系１１の詳細については後述する。
【００２１】
光学系駆動部１３は、いくつかの駆動モータ（光学系用駆動モータ）と、その駆動力を変倍光学系１１を構成するレンズ群に伝達する伝達機構（光学系用伝達機構）とを有している（なお、駆動モータ・伝達機構は不図示）。そして、光学系駆動部１３は、駆動モータ・伝達機構を用いて、変倍光学系１１の焦点距離・焦点位置を設定する。具体的には、光学系駆動部１３は、制御部１９からの指示に応じて、焦点距離・焦点位置を設定する。
【００２２】
撮像素子ＳＲは、例えばＣＣＤ（Charge Coupled Device）のエリアセンサやＣＭＯＳ（Complementary Metal Oxide Semiconductor）センサ等であり、変倍光学系１１を経た光線を受光し、電気的信号（撮像データ）に変換する。そして、撮像素子ＳＲは、この撮像データを信号処理部１４へと出力する。
【００２３】
信号処理部１４は、撮像素子ＳＲからの電子データ（撮像データ）を処理することで、撮像データに基づいた撮像画像データを生成する。なお、この信号処理部１４は、制御部１９の指示に応じて処理動作のＯＮまたはＯＦＦを行う。また、制御部１９の指示に応じて、信号処理部１４は、撮像画像データを表示部１５や記録部１６に出力する。
【００２４】
表示部１５は、例えば液晶パネルから構成されており、信号処理部１４からの撮像画像データ等や、デジタルカメラ２９の使用状況等を表示する。
【００２５】
記録部１６は、制御部１９の指示に応じて、記録媒体１７に、信号処理部１４の生成した撮像画像データを記録する。また、記録部１６は、操作部１８等による操作に応じた制御部１９の指示に従い、記録媒体１７から撮像画像データを読み出す。
【００２６】
記録媒体１７は、例えばデジタルカメラ２９の内部に組み込まれるようになったものでもよいし、フラッシュメモリ等のように着脱可能なものであってもよい。要は、撮像画像データ等を記録できるような媒体（光ディスクや半導体メモリ等）であればよい。
【００２７】
操作部１８は、ユーザー等による各種操作指示を制御部１９に出力するものであり、例えばシャッターレリーズボタンや操作ダイヤル等から構成されている。
【００２８】
制御部１９は、デジタルカメラ２９全体の動作制御等を行う中枢部分となっており、デジタルカメラ２９の各部材の駆動を有機的に制御して、動作を統括制御する。
【００２９】
〔２．レンズユニットについて〕
ここで、変倍光学系１１と撮像素子ＳＲとから成るレンズユニット１について、図１、図５・図６を用いて説明する。図５・図６にて示されるレンズユニット１の一例は、デジタルカメラ２９の内部に収容されている。そして、レンズユニット１は、光学プリズムＰＲや反射ミラーＭＲを用いて光線を折り曲げるようになっている。
【００３０】
ただし、レンズユニット１は、このような光線を折り曲げるレンズ系（屈曲光学系）に限定されない（すなわち図５・図６での光学プリズムＰＲ・反射ミラーＭＲは設けられない場合でもよい）。そこで、図５・図６に示すレンズユニット１を一列状に展開した状態を示す図１（レンズ構成図）では、便宜上、反射ミラーＭＲを省略する。また、このレンズユニット１における光軸をＡＸ（ＡＸ１〜ＡＸ３；図５・図６参照）と表記する。
【００３１】
なお、この図１での「ＧＲｉ」はレンズ群を示し、「Ｌｉ」はレンズを示す。さらに、「ｓｉ」は面（透過面等）を示している。そして、「ＧＲｉ」・「Ｌｉ」・「ｓｉ」に付される数字（ｉ）は、物体側から像側に至るまでの順番を示している。また、非球面の面には、「＊」（アスタリスク）が付されている。そして、この図１に示される変倍光学系１１（ひいてはレンズユニット１）は実施例１と称する。
【００３２】
〈２−１．レンズユニットの構成について（実施例１）〉
レンズユニット１の変倍光学系１１は、撮影対象（物体側）から順に、第１レンズ群ＧＲ１、第２レンズ群ＧＲ２、第３レンズ群ＧＲ３、第４レンズ群ＧＲ４、および撮像素子ユニットＳＵを有している。なお、この撮像素子ユニットＳＵは物体側から順に５番目の位置になっていることから、以下で、ＳＵ５と表記する場合がある。
【００３３】
《第１レンズ群について》
第１レンズ群ＧＲ１は、物体側から順に、第１レンズＬ１、光学プリズムＰＲ、第２レンズＬ２、および第３レンズＬ３を含んでいる。そして、この第１レンズ群ＧＲ１は、全体として「正」の光学的パワー（屈折力）を有している。なお、パワーは、焦点距離の逆数で定義されている。
【００３４】
第１レンズ（前玉レンズ）Ｌ１は、物体側に凸の負メニスカスレンズである。
【００３５】
光学プリズム（第１光軸変更素子）ＰＲは、物体側からの光線を直角等に折り曲げることのできるプリズムである（例えば直角プリズムである）。なお、光学プリズムＰＲにおけるｓ３は光線の入射面、ｓ４は光線の射出面になっている。
【００３６】
第２レンズＬ２は、両側凸の正レンズ（両凸レンズ）であり、第３レンズＬ３は、両側凸の正レンズである。
【００３７】
《第２レンズ群について》
第２レンズ群ＧＲ２は、物体側から順に、第４レンズ（最物体側レンズ）Ｌ４、第５レンズＬ５、および第６レンズＬ６を含んでいる。そして、この第２レンズ群ＧＲ２は、全体として「負」の光学的パワーを有している。
【００３８】
第４レンズＬ４は、両側凹の負レンズ（両凹レンズ）である。なお、この第４レンズＬ４のｓ９（物体側面）は非球面（非球面形状の屈折光学面、非球面と等価な屈折作用を有する面等）になっている。
【００３９】
第５レンズＬ５は、両側凹の負レンズであり、第６レンズＬ６は、両側凸の正レンズである。なお、第５レンズＬ５と第６レンズＬ６とは、ｓ１２・ｓ１３を接合することで接合レンズを構成している。また、接合方法として、接着剤等による接合が挙げられる（なお、後述の接合レンズの接合方法としても、同様に接着剤等の接合が挙げられる）。
【００４０】
《第３レンズ群について》
第３レンズ群ＧＲ３は、物体側から順に、光学絞りＳＴ、第７レンズＬ７、第８レンズＬ８、第９レンズＬ９、および第１０レンズＬ１０を含んでいる。そして、この第３レンズ群ＧＲ３は、全体として「正」の光学的パワーを有している。
【００４１】
光学絞りＳＴは、開口径ＲＳを可変できる絞りである。そして、この光学絞りＳＴは、第３レンズ群ＧＲ３と一体的に構成されている。なお、図１では、この光学絞りＳＴ自体を、便宜上、ｓ１５と表記している。
【００４２】
第７レンズＬ７は、両側凸の正レンズである。なお、この第７レンズＬ７のｓ１６は非球面になっている。第８レンズＬ８は、物体側凹の負メニスカスレンズである。そして、第７レンズＬ７と第８レンズＬ８とは、ｓ１７・ｓ１８を接合することで接合レンズを構成している。
【００４３】
第９レンズＬ９は、両側凸の正レンズである。なお、この第９レンズＬ９のｓ２０は非球面になっている。第１０レンズＬ１０は、物体側凹の負メニスカスレンズである。そして、第９レンズＬ９と第１０レンズＬ１０とは、ｓ２１・ｓ２２を接合することで接合レンズを構成している。
【００４４】
《第４レンズ群について》
第４レンズ群ＧＲ４は、物体側から順に、第１１レンズＬ１１、および第１２レンズＬ１２を含んでいる。そして、この第４レンズ群ＧＲ４は、全体として「正」の光学的パワーを有している。
【００４５】
第１１レンズＬ１１は、物体側凹の負メニスカスレンズであり、第１２レンズＬ１２は、両側凸の正レンズである。なお、この第１２レンズＬ１２のｓ２６・ｓ２７は非球面になっている。
【００４６】
《撮像素子ユニットについて》
撮像素子ユニットＳＵは、物体側から順に、２面構成（ｓ２８・ｓ２９）のカバーガラスＣＧ、および撮像素子ＳＲを含んでいる。具体的には、カバーガラスＣＧのｓ２９と撮像素子ＳＲの受光面とが、極めて近づくように配設されている。
【００４７】
なお、実施例１のレンズユニット１における撮像素子ＳＲは固定配置されている（つまり、撮像素子ユニットＳＵは不動になっている）。また、カバーガラスＣＧが、撮像素子ＳＲの画素ピッチにより決定される所定の遮断周波数特性を有する光学的フィルター（例えば赤外線カットフィルター）の役割を果たしてもよい（ただし、カバーガラスＣＧ自体に光学的パワーは備わっていない）。
【００４８】
〈２−２．変倍光学系（実施例１）のコンストラクションデータについて〉
次に、実施例１の変倍光学系１１のコンストラクションデータについて、表１・表２を用いて説明する。
【００４９】
【表１】
2006350050.tif 000003
【００５０】
この表１での「ｒｉ」は、各面（ｓｉ）における曲率半径［単位：ｍｍ］を示している。なお、非球面の面には、アスタリスク（＊）が付されている。「ｄｉ」は、ｉ番目の面（ｓｉ）と、ｉ＋１番目の面（ｓｉ＋１）との間における軸上面間隔［単位：ｍｍ］を示している。なお、ズーミングにより軸上面間隔が変化（変動）する場合、広角端状態（Ｗ）でのｄｉ・中間焦点距離状態（Ｍ）でのｄｉ・望遠端状態（Ｔ）でのｄｉが、この順で表記されている。
【００５１】
また、「Ｎｉ」・「υｉ」は、軸上面間隔（ｄｉ）での媒質の有する屈折率（Ｎｄ）・アッベ数（νｄ）を示している。なお、屈折率（Ｎｄ）・アッベ数（νｄ）は、ｄ線（波長５８７．５６ｎｍ）に対するものである。
【００５２】
また、「焦点距離状態」は、広角端状態（Ｗ；最短焦点距離状態）〜中間焦点距離状態（Ｍ）〜望遠端状態（Ｔ；最長焦点距離状態）を意味している。そして、「ｆ」・「ＦＮＯ」は、各焦点状態（Ｗ）・（Ｍ）・（Ｔ）に対応する全系の焦点距離［単位：ｍｍ］・Ｆナンバーを示している。
【００５３】
ところで、上記の非球面は、下記の式（定義式１）で定義される。
Ｘ（Ｈ）＝Ｃ0・Ｈ2／｛１＋√（１−ε・Ｃ02・Ｈ2）｝＋ΣＡｊ・Ｈj…（定義式
１）
ただし、定義式１中、
Ｈ      ：光軸ＡＸに対しての垂直な方向の高さ
Ｘ（Ｈ）：高さＨの位置での光軸ＡＸ方向（サグ）の変位量
Ｃ0     ：近軸曲率（＝１／ｒｉ）
ε      ：２次曲面パラメータ
ｊ      ：非球面の次数、
Ａｊ    ：ｊ次の非球面係数
である。
【００５４】
そこで、非球面に関するデータ（非球面データ）を下記の表２に示す。ただし、表記されていない項の係数は「０」（ゼロ）であり、すべてのデータに関して、「Ｅ−ｎ」＝「×１０-n」になっている。
【００５５】
【表２】
2006350050.tif 000004
【００５６】
〈２−３．レンズユニットにおける各レンズ群の移動について〉
《ズーミングについて》
ここで、各レンズ群（ＧＲ１〜ＧＲ４）の移動について、図１を用いて説明する。通常、ズーミング等（変倍等）のとき、レンズユニット１は、各レンズ群の間隔を光軸ＡＸに沿って変化させる。例えば図１のレンズユニット１は、ズーミングの場合、各レンズ群における一部のレンズ群（第１レンズ群ＧＲ１〜第３レンズ群ＧＲ３）を物体側へ移動させる一方、残りのレンズ群（第４レンズ群ＧＲ４）を像側へ移動させている。
【００５７】
かかるようなズーミングのときには、各レンズ群間の距離（群間距離）が変動する。そこで、図１は、ズーミングに伴って間隔変動の生じる軸上面間隔（ｄｉ）のみに番号を付している。具体的には、ｄ８・ｄ１４・ｄ２３・ｄ２７が図示されている。また、図における矢印「ＭＭｉ」は、望遠端状態（Ｗ）から中間焦点状態（Ｍ）、さらには、中間焦点状態（Ｍ）から望遠端状態（Ｔ）に至るまでの各レンズ群の移動を模式的に表記している。なお、ＭＭｉのｉは物体側から像側に至るまでの順番を示している。したがって、各レンズ群の順番に対応する。
【００５８】
なお、図２〜図４は、ズーミングにおける変倍光学系１１の収差を示している。具体的には、図２（図２Ａ〜図２Ｃ）は広角端状態（Ｗ）での収差、図３（図３Ａ〜図３Ｃ）は中間焦点距離状態（Ｍ）での収差、図４（図４Ａ〜図４Ｃ）は望遠端状態（Ｔ）での収差を示している。
【００５９】
そして、図２Ａ・図３Ａ・図４Ａは球面収差（spherical aberration；Ｓ．Ａ．）・正弦条件（sine condition；Ｓ．Ｃ．）を示している。そして、図における線ｄはｄ線に対する球面収差［単位：ｍｍ］、破線ＳＣは正弦条件不満足量［単位：ｍｍ］を示している。なお、これらの図には、ＦＮＯ（Ｆナンバー）も表記されている。
【００６０】
図２Ｂ・図３Ｂ・図４Ｂは非点収差（astigmatism）を示している。そして、図における破線ＤＭは、メリジオナル面でのｄ線に対する非点収差［単位：ｍｍ］を示している。また、線ＤＳは、サジタル面でのｄ線に対する非点収差［単位：ｍｍ］を示している。なお、これらの図には、撮像素子ＳＲの受光面上での最大像高（光軸ＡＸからの距離）である「Ｙ’」［単位：ｍｍ］も表記されている。
【００６１】
図２Ｃ・図３Ｃ・図４Ｃは歪曲収差（distortion）を示している。そして、図における実線は、ｄ線に対する歪曲［単位：％］を示している。なお、これらの図にも、「Ｙ’」が表記されている。
【００６２】
〔３．本発明の種々の特徴の一例について〕
以上のように、本発明の変倍光学系１１は、物体側から像側に向かって、少なくとも、正のパワーを有する第１レンズ群ＧＲ１と、負のパワーを有する第２レンズ群ＧＲ２と、正のパワーを有する第３レンズ群ＧＲ３と、を有する。さらに、第１のレンズ群ＧＲ１が、光軸を変更する光学プリズムＰＲを含んでいる。
【００６３】
そして、本発明の変倍光学系１１は、下記の条件式（Ａ）〜条件式（Ｃ）を満たすようになっている。ただし、これらの条件式は、全て満たす必要はない。各々の条件式が満たされるだけでも、対応する作用・効果が本発明の変倍光学系１１に奏じる。もちろん、複数の条件式が満たされると、より好ましい作用・効果が本発明の変倍光学系１１に奏じることはいうまでもない。
【００６４】
条件式（Ａ）〔条件式（１）〕は、下記のようになっている。
０．１＜｜ｆ２／√（ｆｗ×ｆｔ）｜＜０．４５  …  条件式（Ａ）
ただし、
ｆ２：第２レンズ群の焦点距離［単位：ｍｍ］
ｆｗ：広角端状態での変倍光学系の焦点距離
ｆｔ：望遠端状態での変倍光学系の焦点距離
である。
【００６５】
条件式（Ｂ）〔条件式（２）〕は、下記のようになっている。
０．５＜ｆ１／√（ｆｗ×ｆｔ）＜１．４  …  条件式（Ｂ）
ただし、
ｆ１：第１レンズ群の焦点距離［単位：ｍｍ］
である。
【００６６】
条件式（Ｃ）〔条件式（３）〕は、下記のようになっている。
０．３＜ｆ３／√（ｆｗ×ｆｔ）＜１．０  …  条件式（Ｃ）
ただし、
ｆ３：第３レンズ群の焦点距離［単位：ｍｍ］
である。
【００６７】
これらの条件式（Ａ）・条件式（Ｂ）・条件式（Ｃ）は、各レンズ群（ＧＲ２・ＧＲ１・ＧＲ３）の焦点距離（ｆ２・ｆ１・ｆ３）、すなわちパワー（屈折力）に関する式である。そして、これらの条件式（Ａ）・条件式（Ｂ）・条件式（Ｃ）は、各レンズ群（ＧＲ２・ＧＲ１・ＧＲ３）のパワーに基づいて、変倍光学系（ひいてはレンズユニット１の全長）における全長の抑制（コンパクト化）と、種々の収差発生の抑制との調和を図るための範囲を規定している。
【００６８】
広角端状態での変倍光学系の焦点距離ｆｗと望遠端状態での変倍光学系の焦点距離ｆｔとの相乗平均である√（ｆｗ×ｆｔ）に対する各レンズ群（ＧＲ２・ＧＲ１・ＧＲ３）の焦点距離（ｆ２・ｆ１・ｆ３）の比が、条件式（Ａ）・条件式（Ｂ）・条件式（Ｃ）の上限値を超える（上回る）とき、焦点距離（ｆ２・ｆ１・ｆ３）が比較的長いことになる（すなわちパワーが比較的弱くなっている）。
【００６９】
かかる場合、各レンズ群（ＧＲ２・ＧＲ１・ＧＲ３）のパワーの低下にともない、ズーミングにおける各レンズ群（ＧＲ２・ＧＲ１・ＧＲ３）の移動量が長くなってしまう（ひいては、変倍光学系１１が大型化してしまう）。しかしながら、一般的に、パワーが弱いと種々の収差（非点収差等）は現れにくいという傾向がある。
【００７０】
そのため、条件式（Ａ）・条件式（Ｂ）・条件式（Ｃ）の上限値を超える場合、変倍光学系１１の全長が比較的長くなってしまうものの（レンズユニット１が大型化してしまうものの）、光学的性能劣化（種々の収差）が比較的現れにくくなるといえる。
【００７１】
一方、相乗平均である√（ｆｗ×ｆｔ）〔中間焦点距離状態（Ｍ）での焦点距離〕に対する各レンズ群（ＧＲ２・ＧＲ１・ＧＲ３）の焦点距離（ｆ２・ｆ１・ｆ３）の比が、条件式（Ａ）・条件式（Ｂ）・条件式（Ｃ）の下限値を超える（下回る）場合、各レンズ群（ＧＲ２・ＧＲ１・ＧＲ３）の焦点距離（ｆ２・ｆ１・ｆ３）が比較的短いことになる（すなわちパワーが比較的強くなっている）。
【００７２】
かかる場合、各レンズ群（ＧＲ２・ＧＲ１・ＧＲ３）のパワーの増加にともない、ズーミングにおける各レンズ群（ＧＲ２・ＧＲ１・ＧＲ３）の移動量が短くなる（ひいては、変倍光学系１１が小型化する）。しかしながら、このような比較的強い負のパワーを有すると、各レンズ群（ＧＲ２・ＧＲ１・ＧＲ３）では、種々の収差が比較的現れやすくなる（光学的性能が比較的低くなる）。
【００７３】
したがって、条件式（Ａ）・条件式（Ｂ）・条件式（Ｃ）の下限値を超える場合、光学的性能劣化（非点収差等の種々の収差）が比較的現れやすくなるものの、変倍光学系１１の全長が比較的コンパクトになるといえる。
【００７４】
以上より、条件式（Ａ）・条件式（Ｂ）・条件式（Ｃ）の上限値を下回る場合、変倍光学系１１（ひいてはレンズユニット１）の全長の過度の増大（大型）が抑制される一方、条件式（Ａ）・条件式（Ｂ）・条件式（Ｃ）の下限値を上回る場合、各レンズ群（ＧＲ２・ＧＲ１・ＧＲ３）のパワーに起因する極端な光学的性能の劣化が抑制される。そのため、条件式（Ａ）・条件式（Ｂ）・条件式（Ｃ）の範囲内では、本発明は、コンパクトでありながら、光学的性能の劣化を抑制した（良好な光学的性能を有する）変倍光学系１１（レンズユニット１）になる。
【００７５】
なお、実施例１の変倍光学系１１を条件式（Ａ）・条件式（Ｂ）・条件式（Ｃ）に対応させてみると、下記のようになっている（後述の図４７参照）。
・実施例１の｜ｆ２／√（ｆｗ×ｆｔ）｜＝０．４２
・実施例１のｆ１／√（ｆｗ×ｆｔ）＝１．２９
・実施例１のｆ３／√（ｆｗ×ｆｔ）＝０．９０
【００７６】
ところで、本発明では、さらなる小型化を図るために、反射させることで光軸方向を変更させる反射ミラーＭＲ等（第２光軸変更素子；図５・図６参照）が、第３レンズ群ＧＲ３に含まれていてもよい（ただし、上記したように必須の要件ではない）。このような構成であれば、一直線に伸びるような変倍光学系１１ではなく（ストレートタイプの変倍光学系１１ではなく）、屈曲タイプの変倍光学系１１（変倍可能な屈曲光学系）になる。
【００７７】
そのため、変倍光学系１１（レンズユニット１）の配設の自由度が増す。つまり、屈曲することで小型になった変倍光学系１１（レンズユニット１）が、限られたデジタルカメラ２９のハウジング内の適した位置に配置される。その結果、デジタルカメラ２９の高さ方向Ｕ・水平方向Ｖ等が抑制される。なお、第１レンズ群ＧＲ１に、光学プリズムＰＲが含まれていることで、本発明の変倍光学系１１を備えるデジタルカメラ２９は、奥行き方向Ｚを抑制している。
【００７８】
また、変倍光学系１１は、ズーミングで、第１レンズ群ＧＲ１と第３レンズ群ＧＲ３とを移動させるとき、両者（第１レンズ群ＧＲ１・第３レンズ群ＧＲ３）の群間距離を不変にしてもよい。例えば、第１レンズ群ＧＲ１および第３レンズ群ＧＲ３をレンズ枠（連結部；不図示）を介して一体にさせることで、両者が同時移動してもよい。
【００７９】
このように、第１レンズ群ＧＲと第３レンズ群ＧＲとが連結状態（リンク状態）になっていると、これら両レンズ群ＧＲ１・ＧＲ３の配設に要する構成（配設構成）が簡素化される。そのため、両レンズ群ＧＲ１・ＧＲ３が、例えば、同一のレンズ鏡胴内（不図示）に収納可能になる。その結果、レンズ鏡胴が比較的コンパクトになりやすい。
【００８０】
また、第１レンズ群ＧＲ１・第３レンズＧＲ３毎に対応する移動用動力源（モータ等）も不要になる〔移動に要する構成（移動構成）が簡素化される〕。つまり、単一の動力源のみで、第１レンズ群ＧＲ１・第３レンズＧＲ３の２つのレンズ群を移動させることができる。
【００８１】
以上のような特徴を備えると、種々の収差発生を抑制した上、コンパクト化に優れた変倍光学系１１が実現する。また、その上、下記の特徴を備えていると、本発明の変倍光学系１１は、種々の収差を効果的に抑制・補正等を行うこともできる。
【００８２】
例えば、上記してきたレンズユニット１は、正・負・正・正のパワー配置になった複数のレンズ群（ＧＲ１〜ＧＲ４）を含む変倍光学系１１を有している。したがって、第２レンズ群ＧＲ２は、第１レンズ群ＧＲ１の正のパワーによって収斂された直後の光を発散させなくてはならない。すると、第２レンズ群ＧＲ２は、比較的に強いパワーを有する必要がある。そのため、この比較的強いパワーに起因して、第２レンズ群ＧＲ２内で種々の収差が発生しやすくなっている。
【００８３】
そこで、本発明では、第２レンズ群ＧＲ２に含まれる少なくとも１つ以上のレンズ（Ｌｉ）における屈折率が、下記条件式（Ｄ）を満たすようになっている（表１参照）。
Ｎ2g＞１．７  …  条件式（Ｄ）
ただし、
Ｎ2g：第２レンズ群ＧＲ２に含まれるレンズ（Ｌｉ）のｄ線での屈折率
である。
【００８４】
このように、比較的高い屈折率を有していれば、例えば同じ焦点距離のレンズであっても、相対的に緩い曲率（長い曲率半径）のレンズ面の形成が可能になる。すると、この緩い曲率に起因して、本発明の変倍光学系１１は、種々の収差発生を抑制できる。
【００８５】
さらに、種々の収差を効果的に補正すべく、第２レンズ群ＧＲ２における少なくとも１つのレンズ（実施例１では第４レンズＬ４）が、非球面を備えてもよい。かかる場合、非球面のレンズ面が、比較的強い負のパワーを有するために生じ得る（特に広角端状態（Ｗ）で生じ得る）歪曲収差等を効果的に補正できる。
【００８６】
なお、撮像素子ＳＲに入射する光をテレセントリック性の高い光にするために、本発明の変倍光学系１１は、正・負・正のパワー配置になった第１レンズ群ＧＲ１〜第３レンズＧＲ３の次に、正の第４レンズ群ＧＲ４を配置（配設）させている。
【００８７】
〔４．他の実施例について〕
ところで、本発明の変倍光学系１１は、上記の実施例１の変倍光学系１１に限定されない。そこで、説明してきた効果を発揮する他の変倍光学系１１（実施例２・３）を具備したレンズユニット１について説明する。なお、下記の実施例２・３での変倍光学系１１のレンズ群（ＧＲ１〜ＧＲ４）も、実施例１同様、撮影対象から順に、第１レンズ群ＧＲ１、第２レンズ群ＧＲ２、第３レンズ群ＧＲ３、第４レンズ群ＧＲ４を有し、「正・負・正・正」の光学的パワー配置になっている。さらに、第４レンズ群ＧＲ４の像側には、撮像素子ユニットＳＵ５も配設されている。
【００８８】
〈実施例２の変倍光学系について（図７参照）〉
《第１レンズ群について》
第１レンズ群ＧＲ１は、物体側から順に、第１レンズＬ１、光学プリズムＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：両側凸の正レンズ
【００８９】
《第２レンズ群について》
第２レンズ群ＧＲ２は、物体側から順に、第４レンズ（最物体側レンズ）Ｌ４、第５レンズＬ５、および第６レンズＬ６を含んでいる。そして、各レンズは、下記のような特徴を有している。
・第４レンズＬ４：両側凹の負レンズ〔ｓ９（物体側面）は非球面〕
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【００９０】
《第３レンズ群について》
第３レンズ群ＧＲ３は、物体側から順に、光学絞りＳＴ（ｓ１５とも表記、第３レンズ群ＧＲ３と一体構成）、第７レンズＬ７、第８レンズＬ８、第９レンズＬ９、および第１０レンズＬ１０を含んでいる。そして、各レンズは、下記のような特徴を有している。
・第７レンズＬ７    ：両側凸の正レンズ（ｓ１６は非球面）
・第８レンズＬ８    ：物体側凹の負メニスカスレンズ
・第９レンズＬ９    ：両側凸の正レンズ（ｓ２０は非球面）
・第１０レンズＬ１０：物体側凹の負メニスカスレンズ
なお、第７レンズＬ７と第８レンズＬ８とは、ｓ１７・ｓ１８を接合することで接合レンズを構成し、第９レンズＬ９と第１０レンズＬ１０とは、ｓ２１・ｓ２２を接合することで接合レンズを構成している。
【００９１】
《第４レンズ群について》
第４レンズ群ＧＲ４は、第１１レンズＬ１１のみから構成されている。そして、この第１１レンズＬ１１は、下記のような特徴を有している。
・第１１レンズＬ１１：両側凸の正レンズ（ｓ２４・ｓ２５は非球面）
【００９２】
《撮像素子ユニットについて》
なお、撮像素子ユニットＳＵ５のカバーガラスＣＧは、撮像素子ＳＲの受光面を保護する２面（ｓ２６・ｓ２７）構成のガラスである。
【００９３】
《変倍光学系（実施例２）のコンストラクションデータについて》
次に、実施例２の変倍光学系１１のコンストラクションデータについて、表３・表４を用いて説明する。なお、この表３・表４は、上記の表１・表２と同様の表現になっている。
【００９４】
【表３】
2006350050.tif 000005
【００９５】
【表４】
2006350050.tif 000006
【００９６】
《レンズユニットにおける各レンズ群の移動について》
《《ズーミングについて》》
実施例２の変倍光学系１１は、図７に示すように、ズーミングの場合、各レンズ群における一部のレンズ群（第１レンズ群ＧＲ１〜第３レンズ群ＧＲ３）を物体側へ移動させる一方、残りのレンズ群（第４レンズ群ＧＲ４）を像側へ移動させている。そこで、図７は、ズーミングに伴って間隔変動の生じる軸上面間隔（ｄｉ）のみに番号を付している。具体的には、ｄ８・ｄ１４・ｄ２３・ｄ２５が図示されている。
【００９７】
なお、図８〜図１０は、ズーミングにおける実施例２の変倍光学系１１の収差を示している。そして、この図８〜図１０は、図２〜図４と同様の表現になっている。
【００９８】
〈実施例３の変倍光学系について（図１１参照）〉
《第１レンズ群について》
第１レンズ群ＧＲ１は、物体側から順に、第１レンズＬ１、光学プリズムＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：両側凸の正レンズ
【００９９】
《第２レンズ群について》
第２レンズ群ＧＲ２は、物体側から順に、第４レンズ（最物体側レンズ）Ｌ４、第５レンズＬ５、および第６レンズＬ６を含んでいる。そして、各レンズは、下記のような特徴を有している。
・第４レンズＬ４：両側凹の負レンズ〔ｓ９（物体側面）は非球面〕
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０１００】
《第３レンズ群について》
第３レンズ群ＧＲ３は、物体側から順に、光学絞りＳＴ（ｓ１５とも表記、第３レンズ群ＧＲ３と一体構成）、第７レンズＬ７、第８レンズＬ８、第９レンズＬ９、第１０レンズＬ１０、および第１１レンズＬ１１を含んでいる。そして、各レンズは、下記のような特徴を有している。
・第７レンズＬ７    ：両側凸の正レンズ（ｓ１６は非球面）
・第８レンズＬ８    ：物体側凹の負メニスカスレンズ
・第９レンズＬ９    ：両側凸の正レンズ（ｓ２０は非球面）
・第１０レンズＬ１０：両側凸の正レンズ
・第１１レンズＬ１１：物体凹の負メニスカスレンズ
なお、第７レンズＬ７と第８レンズＬ８とは、ｓ１７・ｓ１８を接合することで接合レンズを構成し、第１０レンズＬ１０と第１１レンズＬ１１とは、ｓ２３・ｓ２４を接合することで接合レンズを構成している。
【０１０１】
《第４レンズ群について》
第４レンズ群ＧＲ４は、第１２レンズＬ１２のみから構成されている。そして、この第１２レンズＬ１２は、下記のような特徴を有している。
・第１２レンズＬ１２：物体側凸の正メニスカスレンズ（ｓ２６は非球面）
【０１０２】
《撮像素子ユニットについて》
なお、撮像素子ユニットＳＵ５のカバーガラスＣＧは、撮像素子ＳＲの受光面を保護する２面（ｓ２８・ｓ２９）構成のガラスである。
【０１０３】
《変倍光学系（実施例３）のコンストラクションデータについて》
次に、実施例３の変倍光学系１１のコンストラクションデータについて、表５・表６を用いて説明する。なお、この表５・表６は、上記の表１・表２と同様の表現になっている。
【０１０４】
【表５】
2006350050.tif 000007
【０１０５】
【表６】
2006350050.tif 000008
【０１０６】
《レンズユニットにおける各レンズ群の移動について》
《《ズーミングについて》》
実施例３の変倍光学系１１は、図１１に示すように、ズーミングの場合、全てのレンズ群（第１レンズ群ＧＲ１〜第４レンズ群ＧＲ４）を物体側へ移動させている（ただし、第４レンズ群ＧＲ４は物体側へ進んだ後に像側へＵターン移動する）。そこで、図１１は、ズーミングに伴って間隔変動の生じる軸上面間隔（ｄｉ）のみに番号を付している。具体的には、ｄ８・ｄ１４・ｄ２５・ｄ２７が図示されている。
【０１０７】
なお、図１２〜図１４は、ズーミングにおける実施例３の変倍光学系１１の収差を示している。そして、この図１２〜図１４は、図２〜図４と同様の表現になっている。
【０１０８】
［実施の形態２］
本発明の実施の形態２について説明する。なお、実施の形態１で用いた部材と同様の機能を有する部材については、同一の符号を付記し、その説明を省略する。
【０１０９】
実施の形態１でのレンズユニット１では、第２レンズ群ＧＲ２における最物体側のレンズ（第４レンズＬ４）の物体側面（ｓ９）が非球面になっているものを挙げて説明してきた。しかしながら、本発明はこれに限定されるものではない。例えば、第２レンズ群ＧＲ２における最物体側のレンズ（Ｌｉ）の像側面（ｓｉ）が非球面であってもよい。また、撮像素子ＳＲ・カバーガラスＣＧから構成される撮像素子ユニットＳＵではなく、レンズＬｉ・カバーガラスＣＧ・撮像素子ＳＲから構成されるレンズ群ＧＲｉが含まれた変倍光学系１１であってもよい。
【０１１０】
〔１．種々の変倍光学系を備えるレンズユニットの構成について〕
そこで、以下に、本発明の他の変倍光学系１１（実施例４〜１１）について説明する。実施例４は、反射ミラーＭＲ（図５・図６参照）ではなく光学プリズム（第２光学プリズム）ＰＲ’が第３レンズ群ＧＲ３に含まれ、さらに、第２レンズ群ＧＲ２における最物体側のレンズ（第４レンズＬ４）の像側面（ｓ１０）が非球面になった変倍光学系１１になっている。
【０１１１】
また、実施例５〜１１は、レンズＬｉ・カバーガラスＣＧ・撮像素子ＳＲから構成されるレンズ群ＧＲ４が含まれ、さらに、第２レンズ群ＧＲ２における最物体側のレンズ（第４レンズＬ４）の像側面（ｓ１０）が非球面になった変倍光学系１１になっている。
【０１１２】
なお、下記の実施例４〜１１での変倍光学系１１のレンズ群（ＧＲ１〜ＧＲ４）も、実施例１〜３同様、撮影対象から順に、第１レンズ群ＧＲ１、第２レンズ群ＧＲ２、第３レンズ群ＧＲ３、および第４レンズ群ＧＲ４を有し、「正・負・正・正」の光学的パワー配置になっている。
【０１１３】
〈実施例４の変倍光学系について（図１５参照）〉
《第１レンズ群について》
第１レンズ群ＧＲ１は、物体側から順に、第１レンズＬ１、光学プリズム（第１光学プリズム）ＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：物体側凸の正メニスカスレンズ
【０１１４】
《第２レンズ群について》
第２レンズ群ＧＲ２は、物体側から順に、第４レンズ（最物体側レンズ）Ｌ４、第５レンズＬ５、および第６レンズＬ６を含んでいる。そして、各レンズは、下記のような特徴を有している。
・第４レンズＬ４：物体側凸の負メニスカスレンズ〔ｓ１０（像側面）は非球面〕
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０１１５】
《第３レンズ群について》
第３レンズ群ＧＲ３は、物体側から順に、光学絞りＳＴ（ｓ１５とも表記、第３レンズ群ＧＲ３と一体構成）、第７レンズＬ７、光学プリズム（第２光軸変更素子）ＰＲ’、第８レンズＬ８、第９レンズＬ９、第１０レンズＬ１０、および第１１レンズＬ１１を含んでいる。そして、各レンズ（光学プリズムＰＲ’を含む）は、下記のような特徴を有している。
・第７レンズＬ７    ：物体側凸の平凸レンズ（ｓ１６は非球面）
・光学プリズムＰＲ’：例えば第１光学プリズムＰＲと同様な光学プリズム
・第８レンズＬ８    ：両側凸の正レンズ
・第９レンズＬ９    ：両側凹の負レンズ
・第１０レンズＬ１０：両側凹の負レンズ
・第１１レンズＬ１１：物体凸の正メニスカスレンズ（ｓ２６・ｓ２７は非球面）
なお、第７レンズＬ７と光学プリズムＰＲ’とは、ｓ１７・ｓ１８を介して接合している。また、第８レンズＬ８と第９レンズＬ９とは、ｓ２１・ｓ２２を接合することで接合レンズを構成している。
【０１１６】
《第４レンズ群について》
第４レンズ群ＧＲ４は、第１２レンズＬ１２、および第１３レンズＬ１３を含んでいる。そして、各レンズは、下記のような特徴を有している。
・第１２レンズＬ１２：両側凸の正レンズ（ｓ２８・ｓ２９は非球面）
・第１３レンズＬ１３：物体側凹の負メニスカスレンズ
【０１１７】
《撮像素子ユニットについて》
なお、撮像素子ユニットＳＵ５のカバーガラスＣＧは、撮像素子ＳＲの受光面を保護する２面（ｓ３２・ｓ３３）構成のガラスである。また、撮像素子ユニットＳＵ５は、実施例１〜３同様、不動になっている。
【０１１８】
《変倍光学系（実施例４）のコンストラクションデータについて》
次に、実施例４の変倍光学系１１のコンストラクションデータについて、表７・表８を用いて説明する。なお、この表７・表８は、上記の表１・表２と同様の表現になっている。
【０１１９】
【表７】
2006350050.tif 000009
【０１２０】
【表８】
2006350050.tif 000010
【０１２１】
《レンズユニットにおける各レンズ群の移動について》
《《ズーミングについて》》
実施例４の変倍光学系１１は、図１５に示すように、ズーミングの場合、各レンズ群における少なくとも一部のレンズ群を移動させている。具体的には、第１レンズ群ＧＲ１〜第４レンズ群ＧＲ４（すなわち全てのレンズ群）が物体側に移動する（ただし第２レンズ群ＧＲ２は物体側へ進んだ後に像側へＵターン移動する）。そこで、図１５は、ズーミングに伴って間隔変動の生じる軸上面間隔（ｄｉ）のみに番号を付している。具体的には、ｄ８・ｄ１４・ｄ２７・ｄ３１が図示されている。
【０１２２】
なお、図１６〜図１８は、ズーミングにおける実施例４の変倍光学系１１の収差を示している。そして、この図１６〜図１８は、図２〜図４と同様の表現になっている。
【０１２３】
〈実施例５の変倍光学系について（図１９参照）〉
《第１レンズ群について》
第１レンズ群ＧＲ１は、物体側から順に、第１レンズＬ１、光学プリズムＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：物体側凸の正メニスカスレンズ
【０１２４】
《第２レンズ群について》
第２レンズ群ＧＲ２は、物体側から順に、第４レンズ（最物体側レンズ）Ｌ４、第５レンズＬ５、および第６レンズＬ６を含んでいる。そして、各レンズは、下記のような特徴を有している。
・第４レンズＬ４：両側凹の負レンズ〔ｓ１０（像側面）は非球面〕
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０１２５】
《第３レンズ群について》
第３レンズ群ＧＲ３は、物体側から順に、光学絞りＳＴ（ｓ１５とも表記、第３レンズ群ＧＲ３と一体構成）、第７レンズＬ７、第８レンズＬ８、第９レンズＬ９、第１０レンズＬ１０、第１１レンズＬ１１、および第１２レンズＬ１２を含んでいる。そして、各レンズは、下記のような特徴を有している。
・第７レンズＬ７    ：両側凸の正レンズ（ｓ１６は非球面）
・第８レンズＬ８    ：物体側凹の負メニスカスレンズ
・第９レンズＬ９    ：物体側凸の負メニスカスレンズ
・第１０レンズＬ１０：両側凸の正レンズ
・第１１レンズＬ１１：物体側凹の負メニスカスレンズ
・第１２レンズＬ１２：両側凸の正レンズ
なお、第７レンズＬ７と第８レンズＬ８とは、ｓ１７・ｓ１８を接合することで接合レンズを構成し、第９レンズＬ９と第１０レンズＬ１０とは、ｓ２１・ｓ２２を接合することで接合レンズを構成している。
【０１２６】
《第４レンズ群について》
第４レンズ群ＧＲ４は、物体側から順に、第１３レンズＬ１３、第１４レンズＬ１４、およびカバーガラスＣＧ（ｓ３２・ｓ３３を有する２面構成のガラス）を含んでいる。そして、各レンズは、下記のような特徴を有している。
・第１３レンズＬ１３：両側凸の正レンズ（ｓ２８・ｓ２９は非球面）
・第１４レンズＬ１４：両側凹の負レンズ
なお、第４レンズ群ＧＲ４に含まれるカバーガラスＣＧは、固定した撮像素子ＳＲに取り付けられている。また、第４レンズ群ＧＲ４は不動状態になっている（後述の実施例６〜１１も同様な構成である）。
【０１２７】
《変倍光学系（実施例５）のコンストラクションデータについて》
次に、実施例５の変倍光学系１１のコンストラクションデータについて、表９・表１０を用いて説明する。なお、この表９・表１０は、上記の表１・表２と同様の表現になっている。
【０１２８】
【表９】
2006350050.tif 000011
【０１２９】
【表１０】
2006350050.tif 000012
【０１３０】
《レンズユニットにおける各レンズ群の移動について》
《《ズーミングについて》》
実施例５の変倍光学系１１は、図１９に示すように、ズーミングの場合、各レンズ群における少なくとも一部のレンズ群（第１レンズ群ＧＲ１〜第３レンズ群ＧＲ３）を、物体側へ移動させている。そこで、図１９は、ズーミングに伴って間隔変動の生じる軸上面間隔（ｄｉ）のみに番号を付している。具体的には、ｄ８・ｄ１４・ｄ２７が図示されている。
【０１３１】
なお、図２０〜図２２は、ズーミングにおける実施例５の変倍光学系１１の収差を示している。そして、この図２０〜図２２は、図２〜図４と同様の表現になっている。
【０１３２】
〈実施例６の変倍光学系について（図２３参照）〉
《第１レンズ群について》
第１レンズ群ＧＲ１は、物体側から順に、第１レンズＬ１、光学プリズムＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：物体側凸の正メニスカスレンズ
【０１３３】
《第２レンズ群について》
第２レンズ群ＧＲ２は、物体側から順に、第４レンズ（最物体側レンズ）Ｌ４、第５レンズＬ５、および第６レンズＬ６を含んでいる。そして、各レンズは、下記のような特徴を有している。
・第４レンズＬ４：物体側凸の負メニスカスレンズ〔ｓ１０（像側面）は非球面〕
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０１３４】
《第３レンズ群について》
第３レンズ群ＧＲ３は、物体側から順に、光学絞りＳＴ（ｓ１５とも表記、第３レンズ群ＧＲ３と一体構成）、第７レンズＬ７、第８レンズＬ８、第９レンズＬ９、第１０レンズＬ１０、第１１レンズＬ１１、および第１２レンズＬ１２を含んでいる。そして、各レンズは、下記のような特徴を有している。
・第７レンズＬ７    ：両側凸の正レンズ（ｓ１６は非球面）
・第８レンズＬ８    ：物体側凹の負メニスカスレンズ
・第９レンズＬ９    ：物体側凸の負メニスカスレンズ
・第１０レンズＬ１０：両側凸の正レンズ
・第１１レンズＬ１１：物体側凹の負メニスカスレンズ
・第１２レンズＬ１２：両側凸の正レンズ
なお、第７レンズＬ７と第８レンズＬ８とは、ｓ１７・ｓ１８を接合することで接合レンズを構成し、第９レンズＬ９と第１０レンズＬ１０とは、ｓ２１・ｓ２２を接合することで接合レンズを構成している。
【０１３５】
《第４レンズ群について》
第４レンズ群ＧＲ４は、物体側から順に、第１３レンズＬ１３、第１４レンズＬ１４、およびカバーガラスＣＧ（ｓ３２・ｓ３３を有する２面構成のガラス）を含んでいる。そして、各レンズは、下記のような特徴を有している。
・第１３レンズＬ１３：両側凸の正レンズ（ｓ２８・ｓ２９は非球面）
・第１４レンズＬ１４：両側凹の負レンズ
【０１３６】
《変倍光学系（実施例６）のコンストラクションデータについて》
次に、実施例６の変倍光学系１１のコンストラクションデータについて、表１１・表１２を用いて説明する。なお、この表１１・表１２は、上記の表１・表２と同様の表現になっている。
【０１３７】
【表１１】
2006350050.tif 000013
【０１３８】
【表１２】
2006350050.tif 000014
【０１３９】
《レンズユニットにおける各レンズ群の移動について》
《《ズーミングについて》》
実施例６の変倍光学系１１は、図２３に示すように、ズーミングの場合、各レンズ群における少なくとも一部のレンズ群（第１レンズ群ＧＲ１〜第３レンズ群ＧＲ３）を、物体側へ移動させている。そこで、図２３は、ズーミングに伴って間隔変動の生じる軸上面間隔（ｄｉ）のみに番号を付している。具体的には、ｄ８・ｄ１４・ｄ２７が図示されている。
【０１４０】
なお、図２４〜図２６は、ズーミングにおける実施例６の変倍光学系１１の収差を示している。そして、この図２４〜図２６は、図２〜図４と同様の表現になっている。
【０１４１】
〈実施例７の変倍光学系について（図２７参照）〉
《第１レンズ群について》
第１レンズ群ＧＲ１は、物体側から順に、第１レンズＬ１、光学プリズムＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：物体側凸の正メニスカスレンズ
【０１４２】
《第２レンズ群について》
第２レンズ群ＧＲ２は、物体側から順に、第４レンズ（最物体側レンズ）Ｌ４、第５レンズＬ５、および第６レンズＬ６を含んでいる。そして、各レンズは、下記のような特徴を有している。
・第４レンズＬ４：両側凹の負レンズ〔ｓ１０（像側面）は非球面〕
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０１４３】
《第３レンズ群について》
第３レンズ群ＧＲ３は、物体側から順に、光学絞りＳＴ（ｓ１５とも表記、第３レンズ群ＧＲ３と一体構成）、第７レンズＬ７、第８レンズＬ８、第９レンズＬ９、第１０レンズＬ１０、および第１１レンズＬ１１を含んでいる。そして、各レンズは、下記のような特徴を有している。
・第７レンズＬ７    ：両側凸の正レンズ（ｓ１６は非球面）
・第８レンズＬ８    ：物体側凹の負メニスカスレンズ
・第９レンズＬ９    ：物体側凸の負メニスカスレンズ
・第１０レンズＬ１０：物体側凸の正メニスカスレンズ
・第１１レンズＬ１１：物体側凸の正メニスカスレンズ（ｓ２４・ｓ２５は非球面）
なお、第７レンズＬ７と第８レンズＬ８とは、ｓ１７・ｓ１８を接合することで接合レンズを構成しており、第９レンズＬ９と第１０レンズＬ１０とは、ｓ２１・ｓ２２を接合することで接合レンズを構成している。
【０１４４】
《第４レンズ群について》
第４レンズ群ＧＲ４は、物体側から順に、第１２レンズＬ１２、およびカバーガラスＣＧ（ｓ２８・ｓ２９を有する２面構成のガラス）を含んでいる。そして、第１２レンズＬ１２は、下記のような特徴を有している。
・第１２レンズＬ１２：物体側凸の正レンズ（ｓ２６・ｓ２７は非球面）
【０１４５】
《変倍光学系（実施例７）のコンストラクションデータについて》
次に、実施例７の変倍光学系１１のコンストラクションデータについて、表１３・表１４を用いて説明する。なお、この表１３・表１４は、上記の表１・表２と同様の表現になっている。
【０１４６】
【表１３】
2006350050.tif 000015
【０１４７】
【表１４】
2006350050.tif 000016
【０１４８】
《レンズユニットにおける各レンズ群の移動について》
《《ズーミングについて》》
実施例７の変倍光学系１１は、図２７に示すように、ズーミングの場合、各レンズ群における少なくとも一部のレンズ群（第１レンズ群ＧＲ１〜第３レンズ群ＧＲ３）を、物体側へ移動させている。そこで、図２７は、ズーミングに伴って間隔変動の生じる軸上面間隔（ｄｉ）のみに番号を付している。具体的には、ｄ８・ｄ１４・ｄ２５が図示されている。
【０１４９】
なお、図２８〜図３０は、ズーミングにおける実施例７の変倍光学系１１の収差を示している。そして、この図２８〜図３０は、図２〜図４と同様の表現になっている。
【０１５０】
〈実施例８の変倍光学系について（図３１参照）〉
《第１レンズ群について》
第１レンズ群ＧＲ１は、物体側から順に、第１レンズＬ１、光学プリズムＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：両側凸の正レンズ
【０１５１】
《第２レンズ群について》
第２レンズ群ＧＲ２は、物体側から順に、第４レンズ（最物体側レンズ）Ｌ４、第５レンズＬ５、および第６レンズＬ６を含んでいる。そして、各レンズは、下記のような特徴を有している。
・第４レンズＬ４：両側凹の負レンズ〔ｓ１０（像側面）は非球面〕
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０１５２】
《第３レンズ群について》
第３レンズ群ＧＲ３は、物体側から順に、光学絞りＳＴ（ｓ１５とも表記、第３レンズ群ＧＲ３と一体構成）、第７レンズＬ７、第８レンズＬ８、第９レンズＬ９、第１０レンズＬ１０、および第１１レンズＬ１１を含んでいる。そして、各レンズは、下記のような特徴を有している。
・第７レンズＬ７    ：両側凸の正レンズ（ｓ１６は非球面）
・第８レンズＬ８    ：物体側凹の負メニスカスレンズ
・第９レンズＬ９    ：物体側凸の負メニスカスレンズ
・第１０レンズＬ１０：物体側凸の正メニスカスレンズ
・第１１レンズＬ１１：両側凸の正レンズ（ｓ２４・ｓ２５は非球面）
なお、第７レンズＬ７と第８レンズＬ８とは、ｓ１７・ｓ１８を接合することで接合レンズを構成し、第９レンズＬ９と第１０レンズＬ１０とは、ｓ２１・ｓ２２を接合することで接合レンズを構成している。
【０１５３】
《第４レンズ群について》
第４レンズ群ＧＲ４は、物体側から順に、第１２レンズＬ１２、第１３レンズＬ１３、およびカバーガラスＣＧ（ｓ３０・ｓ３１を有する２面構成のガラス）を含んでいる。そして、各レンズは、下記のような特徴を有している。
・第１２レンズＬ１２：両側凸の正レンズ（ｓ２６・ｓ２７は非球面）
・第１３レンズＬ１３：両側凹の負レンズ
【０１５４】
《変倍光学系（実施例８）のコンストラクションデータについて》
次に、実施例８の変倍光学系１１のコンストラクションデータについて、表１５・表１６を用いて説明する。なお、この表１５・表１６は、上記の表１・表２と同様の表現になっている。
【０１５５】
【表１５】
2006350050.tif 000017
【０１５６】
【表１６】
2006350050.tif 000018
【０１５７】
《レンズユニットにおける各レンズ群の移動について》
《《ズーミングについて》》
実施例８の変倍光学系１１は、図３１に示すように、ズーミングの場合、各レンズ群における少なくとも一部のレンズ群（第１レンズ群ＧＲ１〜第３レンズ群ＧＲ３）を、物体側へ移動させている。そこで、図３１は、ズーミングに伴って間隔変動の生じる軸上面間隔（ｄｉ）のみに番号を付している。具体的には、ｄ８・ｄ１４・ｄ２５が図示されている。
【０１５８】
なお、図３２〜図３４は、ズーミングにおける実施例８の変倍光学系１１の収差を示している。そして、この図３２〜図３４は、図２〜図４と同様の表現になっている。
【０１５９】
〈実施例９の変倍光学系について（図３５参照）〉
《第１レンズ群について》
第１レンズ群ＧＲ１は、物体側から順に、第１レンズＬ１、光学プリズムＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：両側凸の正レンズ
【０１６０】
《第２レンズ群について》
第２レンズ群ＧＲ２は、物体側から順に、第４レンズ（最物体側レンズ）Ｌ４、第５レンズＬ５、および第６レンズＬ６を含んでいる。そして、各レンズは、下記のような特徴を有している。
・第４レンズＬ４：両側凹の負レンズ〔ｓ１０（像側面）は非球面〕
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０１６１】
《第３レンズ群について》
第３レンズ群ＧＲ３は、物体側から順に、光学絞りＳＴ（ｓ１５とも表記、第３レンズ群ＧＲ３と一体構成）、第７レンズＬ７、第８レンズＬ８、第９レンズＬ９、第１０レンズＬ１０、および第１１レンズＬ１１を含んでいる。そして、各レンズは、下記のような特徴を有している。
・第７レンズＬ７    ：両側凸の正レンズ（ｓ１６は非球面）
・第８レンズＬ８    ：物体側凹の負メニスカスレンズ
・第９レンズＬ９    ：物体側凸の負メニスカスレンズ
・第１０レンズＬ１０：物体側凸の正メニスカスレンズ
・第１１レンズＬ１１：物体側凸の正メニスカスレンズ（ｓ２４・ｓ２５は非球面）
なお、第７レンズＬ７と第８レンズＬ８とは、ｓ１７・ｓ１８を接合することで接合レンズを構成し、第９レンズＬ９と第１０レンズＬ１０とは、ｓ２１・ｓ２２を接合することで接合レンズを構成している。
【０１６２】
《第４レンズ群について》
第４レンズ群ＧＲ４は、物体側から順に、第１２レンズＬ１２、第１３レンズＬ１３、およびカバーガラスＣＧ（ｓ３０・ｓ３１を有する２面構成のガラス）を含んでいる。そして、各レンズは、下記のような特徴を有している。
・第１２レンズＬ１２：両側凸の正レンズ（ｓ２６・ｓ２７は非球面）
・第１３レンズＬ１３：両側凹の負レンズ
【０１６３】
《変倍光学系（実施例９）のコンストラクションデータについて》
次に、実施例９の変倍光学系１１のコンストラクションデータについて、表１７・表１８を用いて説明する。なお、この表１７・表１８は、上記の表１・表２と同様の表現になっている。
【０１６４】
【表１７】
2006350050.tif 000019
【０１６５】
【表１８】
2006350050.tif 000020
【０１６６】
《レンズユニットにおける各レンズ群の移動について》
《《ズーミングについて》》
実施例９の変倍光学系１１は、図３５に示すように、ズーミングの場合、各レンズ群における少なくとも一部のレンズ群（第１レンズ群ＧＲ１〜第３レンズ群ＧＲ３）を、物体側へ移動させている。そこで、図３５は、ズーミングに伴って間隔変動の生じる軸上面間隔（ｄｉ）のみに番号を付している。具体的には、ｄ８・ｄ１４・ｄ２５が図示されている。
【０１６７】
なお、図３６〜図３８は、ズーミングにおける実施例９の変倍光学系１１の収差を示している。そして、この図３６〜図３８は、図２〜図４と同様の表現になっている。
【０１６８】
〈実施例１０の変倍光学系について（図３９参照）〉
《第１レンズ群について》
第１レンズ群ＧＲ１は、物体側から順に、第１レンズＬ１、光学プリズムＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：物体側凸の正メニスカスレンズ
【０１６９】
《第２レンズ群について》
第２レンズ群ＧＲ２は、物体側から順に、第４レンズ（最物体側レンズ）Ｌ４、第５レンズＬ５、および第６レンズＬ６を含んでいる。そして、各レンズは、下記のような特徴を有している。
・第４レンズＬ４：物体側凸の負メニスカスレンズ〔ｓ１０（像側面）は非球面〕
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０１７０】
《第３レンズ群について》
第３レンズ群ＧＲ３は、物体側から順に、光学絞りＳＴ（ｓ１５とも表記、第３レンズ群ＧＲ３と一体構成）、第７レンズＬ７、第８レンズＬ８、第９レンズＬ９、第１０レンズＬ１０、および第１１レンズＬ１１を含んでいる。そして、各レンズは、下記のような特徴を有している。
・第７レンズＬ７    ：両側凸の正レンズ（ｓ１６は非球面）
・第８レンズＬ８    ：物体側凹の負メニスカスレンズ
・第９レンズＬ９    ：物体側凸の負メニスカスレンズ
・第１０レンズＬ１０：物体側凸の正メニスカスレンズ
・第１１レンズＬ１１：物体側凸の正メニスカスレンズ（ｓ２４・ｓ２５は非球面）
なお、第７レンズＬ７と第８レンズＬ８とは、ｓ１７・ｓ１８を接合することで接合レンズを構成し、第９レンズＬ９と第１０レンズＬ１０とは、ｓ２１・ｓ２２を接合することで接合レンズを構成している。
【０１７１】
《第４レンズ群について》
第４レンズ群ＧＲ４は、物体側から順に、第１２レンズＬ１２、第１３レンズＬ１３、およびカバーガラスＣＧ（ｓ３０・ｓ３１を有する２面構成のガラス）を含んでいる。そして、各レンズは、下記のような特徴を有している。
・第１２レンズＬ１２：両側凸の正レンズ（ｓ２６・ｓ２７は非球面）
・第１３レンズＬ１３：物体側凹の負メニスカスレンズ
【０１７２】
《変倍光学系（実施例１０）のコンストラクションデータについて》
次に、実施例１０の変倍光学系１１のコンストラクションデータについて、表１９・表２０を用いて説明する。なお、この表１９・表２０は、上記の表１・表２と同様の表現になっている。
【０１７３】
【表１９】
2006350050.tif 000021
【０１７４】
【表２０】
2006350050.tif 000022
【０１７５】
《レンズユニットにおける各レンズ群の移動について》
《《ズーミングについて》》
実施例１０の変倍光学系１１は、図３９に示すように、ズーミングの場合、各レンズ群における少なくとも一部のレンズ群（第１レンズ群ＧＲ１〜第３レンズ群ＧＲ３）を、物体側へ移動させている。そこで、図３９は、ズーミングに伴って間隔変動の生じる軸上面間隔（ｄｉ）のみに番号を付している。具体的には、ｄ８・ｄ１４・ｄ２５が図示されている。
【０１７６】
なお、図４０〜図４２は、ズーミングにおける実施例１０の変倍光学系１１の収差を示している。そして、この図４０〜図４２は、図２〜図４と同様の表現になっている。
【０１７７】
〈実施例１１の変倍光学系について（図４３参照）〉
《第１レンズ群について》
第１レンズ群ＧＲ１は、物体側から順に、第１レンズＬ１、光学プリズムＰＲ、第２レンズＬ２、および第３レンズＬ３を含んでいる。そして、各レンズは、下記のような特徴を有している。
・第１レンズＬ１：物体側凸の負メニスカスレンズ
・第２レンズＬ２：両側凸の正レンズ
・第３レンズＬ３：物体側凸の正メニスカスレンズ
【０１７８】
《第２レンズ群について》
第２レンズ群ＧＲ２は、物体側から順に、第４レンズ（最物体側レンズ）Ｌ４、第５レンズＬ５、および第６レンズＬ６を含んでいる。そして、各レンズは、下記のような特徴を有している。
・第４レンズＬ４：両側凹の負レンズ〔ｓ１０（像側面）は非球面〕
・第５レンズＬ５：両側凹の負レンズ
・第６レンズＬ６：両側凸の正レンズ
なお、第５レンズＬ５と第６レンズＬ６とは、ｓ１２・ｓ１３を接合することで接合レンズを構成している。
【０１７９】
《第３レンズ群について》
第３レンズ群ＧＲ３は、物体側から順に、光学絞りＳＴ（ｓ１５とも表記、第３レンズ群ＧＲ３と一体構成）、第７レンズＬ７、第８レンズＬ８、第９レンズＬ９、第１０レンズＬ１０、および第１１レンズＬ１１を含んでいる。そして、各レンズは、下記のような特徴を有している。
・第７レンズＬ７    ：両側凸の正レンズ（ｓ１６は非球面）
・第８レンズＬ８    ：物体側凹の負メニスカスレンズ
・第９レンズＬ９    ：両側凸の正レンズ
・第１０レンズＬ１０：両側凹の負レンズ
・第１１レンズＬ１１：物体側凹の負メニスカスレンズ（ｓ２４・ｓ２５は非球面）
なお、第７レンズＬ７と第８レンズＬ８とは、ｓ１７・ｓ１８を接合することで接合レンズを構成し、第９レンズＬ９と第１０レンズＬ１０とは、ｓ２１・ｓ２２を接合することで接合レンズを構成している。
【０１８０】
《第４レンズ群について》
第４レンズ群ＧＲ４は、物体側から順に、第１２レンズＬ１２、およびカバーガラスＣＧ（ｓ２８・ｓ２９を有する２面構成のガラス）を含んでいる。そして、第１２レンズＬ１２は、下記のような特徴を有している。
・第１２レンズＬ１２：物体側凸の正メニスカスレンズ（ｓ２６・ｓ２７は非球面）
【０１８１】
《変倍光学系（実施例１１）のコンストラクションデータについて》
次に、実施例１１の変倍光学系１１のコンストラクションデータについて、表２１・表２２を用いて説明する。なお、この表２１・表２２は、上記の表１・表２と同様の表現になっている。
【０１８２】
【表２１】
2006350050.tif 000023
【０１８３】
【表２２】
2006350050.tif 000024
【０１８４】
《レンズユニットにおける各レンズ群の移動について》
《《ズーミングについて》》
実施例１１の変倍光学系１１は、図４３に示すように、ズーミングの場合、各レンズ群における少なくとも一部のレンズ群を移動させている。具体的には、第１レンズ群ＧＲ１〜第３レンズ群ＧＲ３は物体側に移動する（ただし第２レンズ群ＧＲ２は物体側へ進んだ後に像側へＵターン移動する）。そこで、図４３は、ズーミングに伴って間隔変動の生じる軸上面間隔（ｄｉ）のみに番号を付している。具体的には、ｄ８・ｄ１４・ｄ２５が図示されている。
【０１８５】
なお、図４４〜図４６は、ズーミングにおける実施例１１の変倍光学系１１の収差を示している。そして、この図４４〜図４６は、図２〜図４と同様の表現になっている。
【０１８６】
〔２．本発明の種々の特徴の一例について〕
実施例４〜１１の変倍光学系１１を備えたレンズユニット１では、第２レンズ群ＧＲ２における最物体側レンズ（第４レンズＬ４）の非球面（ｓ１０）が、像側に位置している点以外、実施の形態１と類似した構成といえる。したがって、このようなレンズユニット１が、実施の形態１で説明した作用効果を奏じることはいうまでもない。
【０１８７】
また、本発明の変倍光学系１１のように、第２レンズ群ＧＲ２における最物体側のレンズ（第４レンズＬ４）の像側面（ｓ１０）を非球面にしておくと、パワーを適切に設定できる。例えば、光軸ＡＸから離間するにしたがって曲率を弱くした非球面にしておくと、パワーを適切に設定できる。そのため、本発明の変倍光学系１１は、射出する軸外光線（光軸ＡＸから離れた位置の光線）を屈折させるレンズのパワーの過不足に応じて生じる歪曲収差等を、一層効果的に抑制できる。
【０１８８】
［その他の実施の形態］
なお、本発明は上記の実施の形態に限定されず、本発明の趣旨を逸脱しない範囲で、種々の変更が可能である。例えば、本発明の変倍光学系１１におけるズーム比（変倍比）は、特に限定されるものではないが、下記の条件式（Ｅ）を満たすことが好ましい。
【０１８９】
条件式（Ｅ）は、下記のようになっている。
４．７＜ｆｔ／ｆｗ
ただし、
ｆｔ  ：  望遠端での変倍光学系全体の焦点距離
ｆｗ  ：  広角端での変倍光学系全体の焦点距離
である。
【０１９０】
条件式（Ｅ）は、変倍光学系１１（ひいてはレンズユニット１）のズーム比を表している。すると、この条件式（Ｅ）を満たすことは、従来のデジタルカメラ２９のズーム比（例えば３倍程度）に比べて、かなり高いズーム比を有することになる。つまり、本発明は、高いズーム比を備えながら、上記してきた効果を奏じる変倍光学系１１になっている。このことにより、本発明の変倍光学系１１におけるズーム性能（変倍性能）の有意性が大きくなり、ユーザーベネフィットが達成可能となる。
【０１９１】
なお、以上の説明では、条件式（Ａ）〜条件式（Ｅ）を説明してきた。そこで、各実施例１〜１１に対応させた条件式（Ａ）〜条件式（Ｃ）、および条件式（Ｅ）の値を図４７に示す。なお、条件式（Ｄ）については、上記してきた表を参照するものとする。また、条件式（Ａ）〜条件式（Ｃ）、および条件式（Ｅ）の値を求めるために必要な、ｆ２、ｆ１、ｆ３、√（ｆｗ×ｆｔ）、ｆｔ、ｆｗの値を図４８に示す。そして、この図４７に示すように、本発明の実施例１〜１１の変倍光学系１１は、条件式（Ａ）〜条件式（Ｃ）、および条件式（Ｅ）を満たすようになっている。
【０１９２】
ところで、本発明の変倍光学系１１は、種々の撮像装置（銀塩写真カメラやデジタルスチルカメラ等）やデジタル入力機器（例えば撮像装置を具備したデジタル機器）に用いられる。したがって、本発明の変倍光学系１１を用いた撮像装置等は、コンパクトなものになる。また、撮像装置等における限られたハウジング内の容積に占める変倍光学系１１の割合は、比較的小さくなる。そのため、撮像装置等の余裕のあるハウジング内に、種々の部品（電子部品等）が配置できる（ハウジング容積の有効活用が達成できる）。したがって、種々の部品を搭載した高性能な撮像装置が実現できる。
【０１９３】
また、図５・図６に示すような撮像装置２９は、撮像素子ＳＲを固定し、光軸変更素子（光学プリズムＰＲまたは反射ミラーＭＲ）を含む第１レンズ群ＧＲ１・第３レンズ群ＧＲ３を移動させるようにしてズーミング等を行う構成であってもよい。また、撮像装置２９が、光軸変更素子を含む第１レンズ群ＧＲ１・第３レンズ群ＧＲ３を固定し、撮像素子ＳＲを移動させるようにしてズーミング等を行う構成であってもよい。
【産業上の利用可能性】
【０１９４】
本発明は、変倍可能な光学系や、その光学系を備えた撮像装置に有用である。
【図面の簡単な説明】
【０１９５】
【図１】実施例１の変倍光学系を備えるレンズユニットのレンズ構成図である。
【図２Ａ】広角端状態（Ｗ）になった変倍光学系（実施例１）の球面収差図である。
【図２Ｂ】広角端状態（Ｗ）になった変倍光学系（実施例１）の非点収差図である。
【図２Ｃ】広角端状態（Ｗ）になった変倍光学系（実施例１）の歪曲収差図である。
【図３Ａ】中間焦点距離状態（Ｍ）になった変倍光学系（実施例１）の球面収差図である。
【図３Ｂ】中間焦点距離状態（Ｍ）になった変倍光学系（実施例１）の非点収差図である。
【図３Ｃ】中間焦点距離状態（Ｍ）になった変倍光学系（実施例１）の歪曲収差図である。
【図４Ａ】望遠端状態（Ｔ）になった変倍光学系（実施例１）の球面収差図である。
【図４Ｂ】望遠端状態（Ｔ）になった変倍光学系（実施例１）の非点収差図である。
【図４Ｃ】望遠端状態（Ｔ）になった変倍光学系（実施例１）の歪曲収差図である。
【図５】各実施の形態のデジタルカメラであり、背面からの概略構成図である。
【図６】各実施の形態のデジタルカメラであり、側面からの概略構成図である。
【図７】実施例２の変倍光学系を備えるレンズユニットのレンズ構成図である。
【図８Ａ】広角端状態（Ｗ）になった変倍光学系（実施例２）の球面収差図である。
【図８Ｂ】広角端状態（Ｗ）になった変倍光学系（実施例２）の非点収差図である。
【図８Ｃ】広角端状態（Ｗ）になった変倍光学系（実施例２）の歪曲収差図である。
【図９Ａ】中間焦点距離状態（Ｍ）になった変倍光学系（実施例２）の球面収差図である。
【図９Ｂ】中間焦点距離状態（Ｍ）になった変倍光学系（実施例２）の非点収差図である。
【図９Ｃ】中間焦点距離状態（Ｍ）になった変倍光学系（実施例２）の歪曲収差図である。
【図１０Ａ】望遠端状態（Ｔ）になった変倍光学系（実施例２）の球面収差図である。
【図１０Ｂ】望遠端状態（Ｔ）になった変倍光学系（実施例２）の非点収差図である。
【図１０Ｃ】望遠端状態（Ｔ）になった変倍光学系（実施例２）の歪曲収差図である。
【図１１】実施例３の変倍光学系を備えるレンズユニットのレンズ構成図である。
【図１２Ａ】広角端状態（Ｗ）になった変倍光学系（実施例３）の球面収差図である。
【図１２Ｂ】広角端状態（Ｗ）になった変倍光学系（実施例３）の非点収差図である。
【図１２Ｃ】広角端状態（Ｗ）になった変倍光学系（実施例３）の歪曲収差図である。
【図１３Ａ】中間焦点距離状態（Ｍ）になった変倍光学系（実施例３）の球面収差図である。
【図１３Ｂ】中間焦点距離状態（Ｍ）になった変倍光学系（実施例３）の非点収差図である。
【図１３Ｃ】中間焦点距離状態（Ｍ）になった変倍光学系（実施例３）の歪曲収差図である。
【図１４Ａ】望遠端状態（Ｔ）になった変倍光学系（実施例３）の球面収差図である。
【図１４Ｂ】望遠端状態（Ｔ）になった変倍光学系（実施例３）の非点収差図である。
【図１４Ｃ】望遠端状態（Ｔ）になった変倍光学系（実施例３）の歪曲収差図である。
【図１５】実施例４の変倍光学系を備えるレンズユニットのレンズ構成図である。
【図１６Ａ】広角端状態（Ｗ）になった変倍光学系（実施例４）の球面収差図である。
【図１６Ｂ】広角端状態（Ｗ）になった変倍光学系（実施例４）の非点収差図である。
【図１６Ｃ】広角端状態（Ｗ）になった変倍光学系（実施例４）の歪曲収差図である。
【図１７Ａ】中間焦点距離状態（Ｍ）になった変倍光学系（実施例４）の球面収差図である。
【図１７Ｂ】中間焦点距離状態（Ｍ）になった変倍光学系（実施例４）の非点収差図である。
【図１７Ｃ】中間焦点距離状態（Ｍ）になった変倍光学系（実施例４）の歪曲収差図である。
【図１８Ａ】望遠端状態（Ｔ）になった変倍光学系（実施例４）の球面収差図である。
【図１８Ｂ】望遠端状態（Ｔ）になった変倍光学系（実施例４）の非点収差図である。
【図１８Ｃ】望遠端状態（Ｔ）になった変倍光学系（実施例４）の歪曲収差図である。
【図１９】実施例５の変倍光学系を備えるレンズユニットのレンズ構成図である。
【図２０Ａ】広角端状態（Ｗ）になった変倍光学系（実施例５）の球面収差図である。
【図２０Ｂ】広角端状態（Ｗ）になった変倍光学系（実施例５）の非点収差図である。
【図２０Ｃ】広角端状態（Ｗ）になった変倍光学系（実施例５）の歪曲収差図である。
【図２１Ａ】中間焦点距離状態（Ｍ）になった変倍光学系（実施例５）の球面収差図である。
【図２１Ｂ】中間焦点距離状態（Ｍ）になった変倍光学系（実施例５）の非点収差図である。
【図２１Ｃ】中間焦点距離状態（Ｍ）になった変倍光学系（実施例５）の歪曲収差図である。
【図２２Ａ】望遠端状態（Ｔ）になった変倍光学系（実施例５）の球面収差図である。
【図２２Ｂ】望遠端状態（Ｔ）になった変倍光学系（実施例５）の非点収差図である。
【図２２Ｃ】望遠端状態（Ｔ）になった変倍光学系（実施例５）の歪曲収差図である。
【図２３】実施例６の変倍光学系を備えるレンズユニットのレンズ構成図である。
【図２４Ａ】広角端状態（Ｗ）になった変倍光学系（実施例６）の球面収差図である。
【図２４Ｂ】広角端状態（Ｗ）になった変倍光学系（実施例６）の非点収差図である。
【図２４Ｃ】広角端状態（Ｗ）になった変倍光学系（実施例６）の歪曲収差図である。
【図２５Ａ】中間焦点距離状態（Ｍ）になった変倍光学系（実施例６）の球面収差図である。
【図２５Ｂ】中間焦点距離状態（Ｍ）になった変倍光学系（実施例６）の非点収差図である。
【図２５Ｃ】中間焦点距離状態（Ｍ）になった変倍光学系（実施例６）の歪曲収差図である。
【図２６Ａ】望遠端状態（Ｔ）になった変倍光学系（実施例６）の球面収差図である。
【図２６Ｂ】望遠端状態（Ｔ）になった変倍光学系（実施例６）の非点収差図である。
【図２６Ｃ】望遠端状態（Ｔ）になった変倍光学系（実施例６）の歪曲収差図である。
【図２７】実施例７の変倍光学系を備えるレンズユニットのレンズ構成図である。
【図２８Ａ】広角端状態（Ｗ）になった変倍光学系（実施例７）の球面収差図である。
【図２８Ｂ】広角端状態（Ｗ）になった変倍光学系（実施例７）の非点収差図である。
【図２８Ｃ】広角端状態（Ｗ）になった変倍光学系（実施例７）の歪曲収差図である。
【図２９Ａ】中間焦点距離状態（Ｍ）になった変倍光学系（実施例７）の球面収差図である。
【図２９Ｂ】中間焦点距離状態（Ｍ）になった変倍光学系（実施例７）の非点収差図である。
【図２９Ｃ】中間焦点距離状態（Ｍ）になった変倍光学系（実施例７）の歪曲収差図である。
【図３０Ａ】望遠端状態（Ｔ）になった変倍光学系（実施例７）の球面収差図である。
【図３０Ｂ】望遠端状態（Ｔ）になった変倍光学系（実施例７）の非点収差図である。
【図３０Ｃ】望遠端状態（Ｔ）になった変倍光学系（実施例７）の歪曲収差図である。
【図３１】実施例８の変倍光学系を備えるレンズユニットのレンズ構成図である。
【図３２Ａ】広角端状態（Ｗ）になった変倍光学系（実施例８）の球面収差図である。
【図３２Ｂ】広角端状態（Ｗ）になった変倍光学系（実施例８）の非点収差図である。
【図３２Ｃ】広角端状態（Ｗ）になった変倍光学系（実施例８）の歪曲収差図である。
【図３３Ａ】中間焦点距離状態（Ｍ）になった変倍光学系（実施例８）の球面収差図である。
【図３３Ｂ】中間焦点距離状態（Ｍ）になった変倍光学系（実施例８）の非点収差図である。
【図３３Ｃ】中間焦点距離状態（Ｍ）になった変倍光学系（実施例８）の歪曲収差図である。
【図３４Ａ】望遠端状態（Ｔ）になった変倍光学系（実施例８）の球面収差図である。
【図３４Ｂ】望遠端状態（Ｔ）になった変倍光学系（実施例８）の非点収差図である。
【図３４Ｃ】望遠端状態（Ｔ）になった変倍光学系（実施例８）の歪曲収差図である。
【図３５】実施例９の変倍光学系を備えるレンズユニットのレンズ構成図である。
【図３６Ａ】広角端状態（Ｗ）になった変倍光学系（実施例９）の球面収差図である。
【図３６Ｂ】広角端状態（Ｗ）になった変倍光学系（実施例９）の非点収差図である。
【図３６Ｃ】広角端状態（Ｗ）になった変倍光学系（実施例９）の歪曲収差図である。
【図３７Ａ】中間焦点距離状態（Ｍ）になった変倍光学系（実施例９）の球面収差図である。
【図３７Ｂ】中間焦点距離状態（Ｍ）になった変倍光学系（実施例９）の非点収差図である。
【図３７Ｃ】中間焦点距離状態（Ｍ）になった変倍光学系（実施例９）の歪曲収差図である。
【図３８Ａ】望遠端状態（Ｔ）になった変倍光学系（実施例９）の球面収差図である。
【図３８Ｂ】望遠端状態（Ｔ）になった変倍光学系（実施例９）の非点収差図である。
【図３８Ｃ】望遠端状態（Ｔ）になった変倍光学系（実施例９）の歪曲収差図である。
【図３９】実施例１０の変倍光学系を備えるレンズユニットのレンズ構成図である。
【図４０Ａ】広角端状態（Ｗ）になった変倍光学系（実施例１０）の球面収差図である。
【図４０Ｂ】広角端状態（Ｗ）になった変倍光学系（実施例１０）の非点収差図である。
【図４０Ｃ】広角端状態（Ｗ）になった変倍光学系（実施例１０）の歪曲収差図である。
【図４１Ａ】中間焦点距離状態（Ｍ）になった変倍光学系（実施例１０）の球面収差図である。
【図４１Ｂ】中間焦点距離状態（Ｍ）になった変倍光学系（実施例１０）の非点収差図である。
【図４１Ｃ】中間焦点距離状態（Ｍ）になった変倍光学系（実施例１０）の歪曲収差図である。
【図４２Ａ】望遠端状態（Ｔ）になった変倍光学系（実施例１０）の球面収差図である。
【図４２Ｂ】望遠端状態（Ｔ）になった変倍光学系（実施例１０）の非点収差図である。
【図４２Ｃ】望遠端状態（Ｔ）になった変倍光学系（実施例１０）の歪曲収差図である。
【図４３】実施例１１の変倍光学系を備えるレンズユニットのレンズ構成図である。
【図４４Ａ】広角端状態（Ｗ）になった変倍光学系（実施例１１）の球面収差図である。
【図４４Ｂ】広角端状態（Ｗ）になった変倍光学系（実施例１１）の非点収差図である。
【図４４Ｃ】広角端状態（Ｗ）になった変倍光学系（実施例１１）の歪曲収差図である。
【図４５Ａ】中間焦点距離状態（Ｍ）になった変倍光学系（実施例１１）の球面収差図である。
【図４５Ｂ】中間焦点距離状態（Ｍ）になった変倍光学系（実施例１１）の非点収差図である。
【図４５Ｃ】中間焦点距離状態（Ｍ）になった変倍光学系（実施例１１）の歪曲収差図である。
【図４６Ａ】望遠端状態（Ｔ）になった変倍光学系（実施例１１）の球面収差図である。
【図４６Ｂ】望遠端状態（Ｔ）になった変倍光学系（実施例１１）の非点収差図である。
【図４６Ｃ】望遠端状態（Ｔ）になった変倍光学系（実施例１１）の歪曲収差図である。
【図４７】実施例１〜１１の変倍光学系に対応する条件式（Ａ）〜条件式（Ｃ）、および条件式（Ｅ）の結果を示す説明図である。
【図４８】実施例１〜１１の変倍光学系に対応する条件式（Ａ）〜条件式（Ｃ）、および条件式（Ｅ）の値を求めるために必要な、ｆ２、ｆ１、ｆ３、√（ｆｗ×ｆｔ）、ｆｔ、ｆｗの値を示す説明図である。
【符号の説明】
【０１９６】
１    レンズユニット
１１    変倍光学系
２９    デジタルカメラ（撮像装置）
ＧＲｉ  レンズ群
ＧＲ１  第１レンズ群
ＧＲ２  第２レンズ群
ＧＲ３  第３レンズ群
ＧＲ４  第４レンズ群
ＳＵ    撮像素子ユニット
Ｌｉ    レンズ
ｓｉ    面
ＳＲ    撮像素子
ＰＲ    光学プリズム（第１光軸変更素子）
ＰＲ’  光学プリズム（第２光軸変更素子）
ＳＴ    光学絞り
ＣＧ    カバーガラス
ＡＸ    光軸
【図１】
2006350050.tif 000025
【図２Ａ】
2006350050.tif 000026
【図２Ｂ】
2006350050.tif 000027
【図２Ｃ】
2006350050.tif 000028
【図３Ａ】
2006350050.tif 000029
【図３Ｂ】
2006350050.tif 000030
【図３Ｃ】
2006350050.tif 000031
【図４Ａ】
2006350050.tif 000032
【図４Ｂ】
2006350050.tif 000033
【図４Ｃ】
2006350050.tif 000034
【図５】
2006350050.tif 000035
【図６】
2006350050.tif 000036
【図７】
2006350050.tif 000037
【図８Ａ】
2006350050.tif 000038
【図８Ｂ】
2006350050.tif 000039
【図８Ｃ】
2006350050.tif 000040
【図９Ａ】
2006350050.tif 000041
【図９Ｂ】
2006350050.tif 000042
【図９Ｃ】
2006350050.tif 000043
【図１０Ａ】
2006350050.tif 000044
【図１０Ｂ】
2006350050.tif 000045
【図１０Ｃ】
2006350050.tif 000046
【図１１】
2006350050.tif 000047
【図１２Ａ】
2006350050.tif 000048
【図１２Ｂ】
2006350050.tif 000049
【図１２Ｃ】
2006350050.tif 000050
【図１３Ａ】
2006350050.tif 000051
【図１３Ｂ】
2006350050.tif 000052
【図１３Ｃ】
2006350050.tif 000053
【図１４Ａ】
2006350050.tif 000054
【図１４Ｂ】
2006350050.tif 000055
【図１４Ｃ】
2006350050.tif 000056
【図１５】
2006350050.tif 000057
【図１６Ａ】
2006350050.tif 000058
【図１６Ｂ】
2006350050.tif 000059
【図１６Ｃ】
2006350050.tif 000060
【図１７Ａ】
2006350050.tif 000061
【図１７Ｂ】
2006350050.tif 000062
【図１７Ｃ】
2006350050.tif 000063
【図１８Ａ】
2006350050.tif 000064
【図１８Ｂ】
2006350050.tif 000065
【図１８Ｃ】
2006350050.tif 000066
【図１９】
2006350050.tif 000067
【図２０Ａ】
2006350050.tif 000068
【図２０Ｂ】
2006350050.tif 000069
【図２０Ｃ】
2006350050.tif 000070
【図２１Ａ】
2006350050.tif 000071
【図２１Ｂ】
2006350050.tif 000072
【図２１Ｃ】
2006350050.tif 000073
【図２２Ａ】
2006350050.tif 000074
【図２２Ｂ】
2006350050.tif 000075
【図２２Ｃ】
2006350050.tif 000076
【図２３】
2006350050.tif 000077
【図２４Ａ】
2006350050.tif 000078
【図２４Ｂ】
2006350050.tif 000079
【図２４Ｃ】
2006350050.tif 000080
【図２５Ａ】
2006350050.tif 000081
【図２５Ｂ】
2006350050.tif 000082
【図２５Ｃ】
2006350050.tif 000083
【図２６Ａ】
2006350050.tif 000084
【図２６Ｂ】
2006350050.tif 000085
【図２６Ｃ】
2006350050.tif 000086
【図２７】
2006350050.tif 000087
【図２８Ａ】
2006350050.tif 000088
【図２８Ｂ】
2006350050.tif 000089
【図２８Ｃ】
2006350050.tif 000090
【図２９Ａ】
2006350050.tif 000091
【図２９Ｂ】
2006350050.tif 000092
【図２９Ｃ】
2006350050.tif 000093
【図３０Ａ】
2006350050.tif 000094
【図３０Ｂ】
2006350050.tif 000095
【図３０Ｃ】
2006350050.tif 000096
【図３１】
2006350050.tif 000097
【図３２Ａ】
2006350050.tif 000098
【図３２Ｂ】
2006350050.tif 000099
【図３２Ｃ】
2006350050.tif 000100
【図３３Ａ】
2006350050.tif 000101
【図３３Ｂ】
2006350050.tif 000102
【図３３Ｃ】
2006350050.tif 000103
【図３４Ａ】
2006350050.tif 000104
【図３４Ｂ】
2006350050.tif 000105
【図３４Ｃ】
2006350050.tif 000106
【図３５】
2006350050.tif 000107
【図３６Ａ】
2006350050.tif 000108
【図３６Ｂ】
2006350050.tif 000109
【図３６Ｃ】
2006350050.tif 000110
【図３７Ａ】
2006350050.tif 000111
【図３７Ｂ】
2006350050.tif 000112
【図３７Ｃ】
2006350050.tif 000113
【図３８Ａ】
2006350050.tif 000114
【図３８Ｂ】
2006350050.tif 000115
【図３８Ｃ】
2006350050.tif 000116
【図３９】
2006350050.tif 000117
【図４０Ａ】
2006350050.tif 000118
【図４０Ｂ】
2006350050.tif 000119
【図４０Ｃ】
2006350050.tif 000120
【図４１Ａ】
2006350050.tif 000121
【図４１Ｂ】
2006350050.tif 000122
【図４１Ｃ】
2006350050.tif 000123
【図４２Ａ】
2006350050.tif 000124
【図４２Ｂ】
2006350050.tif 000125
【図４２Ｃ】
2006350050.tif 000126
【図４３】
2006350050.tif 000127
【図４４Ａ】
2006350050.tif 000128
【図４４Ｂ】
2006350050.tif 000129
【図４４Ｃ】
2006350050.tif 000130
【図４５Ａ】
2006350050.tif 000131
【図４５Ｂ】
2006350050.tif 000132
【図４５Ｃ】
2006350050.tif 000133
【図４６Ａ】
2006350050.tif 000134
【図４６Ｂ】
2006350050.tif 000135
【図４６Ｃ】
2006350050.tif 000136
【図４７】
2006350050.tif 000137
【図４８】
2006350050.tif 000138